(57)【要約】【課題】平面視多角形のピースを組み合わせて、十分な妙味を得ることが可能なパズルを提供する。【解決手段】枠体７の開口９内に配置された平面視菱形の平板状のピース３、５によって図形が形成される。図形は色の異なるピース３とピース５の組み合わせによるコントラストの違いに起因する錯覚によって立体的に見える。すなわち、当該図形は直方体の箱が段を形成するように積まれた状態に見えるものとなる。従って、十分な妙味を得ることが可能となる。【選択図】        図２
0003192736.tif 000002
【実用新案登録請求の範囲】
【請求項１】
複数の平面視多角形の平板状のピースを組み合わせるパズルにおいて、前記ピースは色の異なるものがあり、前記ピースを配置することで図形を形成し、前記図形は前記色の異なるピースの組み合わせによるコントラストの違いに起因する錯覚によって立体的に見えるものであることを特徴とするパズル。
【請求項２】
請求項１に記載したパズルにおいて、ピースは平面視菱形であることを特徴とするパズル。
【請求項３】
請求項１または２に記載したパズルにおいて、組み合わされたピースが嵌る枠体を具備することを特徴とするパズル。
【考案の詳細な説明】
【技術分野】
【０００１】
本考案はパズルに係り、特に複数の多角形のピースを組み合わせて平面に図形を形成するパズルに関するものである。
【背景技術】
【０００２】
特許文献１に記載されたパズルは多角形の平板状の組合せ片（ピース）を組み合わせて種々の図形を形成できるようにしたものである。
【先行技術文献】
【特許文献】
【０００３】
【特許文献１】実用新案第３１８４６７０号公報
【考案の概要】
【考案が解決しようとする課題】
【０００４】
しかしながら、上記従来のパズルは視覚によって平面的な図形として捉えられるものであり、妙味が必ずしも十分であるとは言えない。
本考案は多角形の平板状のピースを組み合わせて、十分な妙味を得ることが可能なパズルの提供を、その目的とする。
【課題を解決するための手段】
【０００５】
本考案は上記課題を解決するためになされたものであり、請求項１の発明は、複数の平面視多角形の平板状のピースを組み合わせるパズルにおいて、前記ピースは色の異なるものがあり、前記ピースを配置することで図形を形成し、前記図形は前記色の異なるピースの組み合わせによるコントラストの違いに起因する錯覚によって立体的に見えるものであることを特徴とするパズルである。
【０００６】
請求項２の発明は、請求項１に記載したパズルにおいて、ピースは平面視菱形であることを特徴とするパズルである。
【０００７】
請求項３の発明は、請求項１または２に記載したパズルにおいて、組み合わされたピースが嵌る枠体を具備することを特徴とするパズルである。
【考案の効果】
【０００８】
本考案のパズルによれば、多角形の平板状のピースを組み合わせて平面に形成される図が錯覚によって立体的に見える。従って、十分な妙味を得ることが可能となる。
【図面の簡単な説明】
【０００９】
【図１】本考案の実施の形態１に係るパズルのピースと枠体の斜視図である。
【図２】図１のパズルのピースを枠体内で組み合わせた状態の平面図である。
【図３】本考案の実施の形態２に係るパズルのピースと枠体の斜視図である。
【図４】図３のパズルのピースを枠体内で組み合わせた状態の平面図である。
【図５】本考案の実施の形態３に係るパズルのピースの斜視図である。
【図６】図５のパズルのピースを組み合わせた状態の平面図である。
【図７】その他の実施の形態に係るピースの斜視図と平面図である。
【図８】その他の実施の形態に係るピースの斜視図と平面図である。
【考案を実施するための形態】
【００１０】
本考案の実施の形態１に係るパズル１を図１、図２にしたがって説明する。
符号３、５は平面視菱形の平板状のピースを示し、ピース３、５はある程度の厚み寸法を有している。ピース３、５は木製であり、ピース３は白木のままであり、ピース５は茶色の塗装が施されている。ピース３は３４個、ピース５は１４個、備えられている。
符号７は枠体を示し、この枠体７は外形、開口９共に正六角形に形成されている。枠体７の厚さ寸法はピース３、５の厚さ寸法と同じとなるように製作されている。
【００１１】
このパズル１の使用方法を説明する。
ピース３、ピース５を一つずつ図２に示すように枠体７の開口９に配置する。すなわち、４個のピース５を、その長手方向の鋭角の頂部を結ぶ対角線（図示せず）が一線となるように、枠体７の中心部に備える。この中心部に備えられた４個のピース５を挟んで上下に３個のピース５を、その長手方向の鋭角の頂部を結ぶ対角線（図示せず）が一線となるように備える。
【００１２】
更に上側の３個のピース５の上側に２個のピース５を、その長手方向の鋭角の頂部を結ぶ対角線（図示せず）が一線となるように備え、下側の３個のピース５の下側に２個のピース５をその鋭角の頂部を結ぶ対角線（図示せず）が一線となるように備える。
そして、前述にように配置されたピース５を囲むようにして、ピース３を枠体７の開口９内に配置する。ピース３、５は枠体７の開口９にぴったり嵌った状態となる。
【００１３】
上記のように配置されたピース３、５によって図形が形成される。図形は色の異なるピース３とピース５の組み合わせによるコントラストの違いに起因する錯覚によって立体的に見える。すなわち、当該図形は直方体の箱が段を形成するように積まれた状態に見えるものとなる。従って、十分な妙味を得ることが可能となる。
【００１４】
本考案の実施の形態２に係るパズル１１を図３、図４にしたがって説明する。
このパズル１１は実施の形態１に係るパズル１とピース３、５の個数が異なる点を除き同様の構成部分を有するので、同様の構成部分については実施の形態１で用いた符号と同じ符号を付して、その説明を省略する。
ピース３、ピース５は２４個ずつ備えられている。
【００１５】
パズル１１は開口９の中央のほぼ下半部に備えるピース３ａ、３ｂとピース５ａ、５ｂを除いてピース３とピース５が互いに交互に並ぶように配置している。
なお、ピース３ａ、３ｂはピース３と、５ａ、５ｂはピース５と同様のものであるが、便宜的に数字の後にａ、ｂを付してある。
上記のように配置されたピース３、５によって図形が形成される。図形は色の異なるピース３とピース５の組み合わせによるコントラストの違いに起因する錯覚によって立体的に見える。すなわち、当該図形は直方体の箱が直方体状に積まれたように見えるものとなる。
【００１６】
本考案の実施の形態３に係るパズル２１を図５、図６にしたがって説明する。
符号１３、１５は平面視菱形の平板状のピースを示し、ピース１３、１５は比較的小さい厚み寸法を有している。ピース１３、１５は木製であり、ピース１３は白木のままであり、ピース１５は茶色の塗装が施されている。ピース１３は８個、ピース５は４個、備えられている。
【００１７】
このパズル２１は枠体を備えていないので、図６に示すようにピース１３、１５をその側面どうしが接合するように並べて、ピース１３、１５を組み合わせる。
ピース１３、１５によって図形が形成され、この図形は色の異なるピース１３とピース１５の組み合わせによるコントラストの違いに起因する錯覚によって立体的に見える。すなわち、当該図形は直方体の箱が段を形成するように積まれたように見えるものとなる。
【００１８】
図７、図８にその他の実施の形態を示す。
図７（ａ）（ｂ）（ｃ）（ｄ）に示すピース２３ａ、２５ａように菱形を短い方の対角線で切断した平面視三角形の形状としてもよい。なお、ピース２３ａは淡色のものであり、ピース２５ａは濃色のものである。
図８（ａ）（ｂ）（ｃ）（ｄ）に示すピース２７ａ、２９ａように菱形を長い方の対角線で切断した平面視三角形の形状としてもよい。なお、ピース２７ａは淡色のものであり、ピース２９ａは濃色のものである。
【００１９】
以上、本考案の実施の形態について詳述してきたが、具体的構成は、この実施の形態に限られるものではなく、本考案の要旨を逸脱しない範囲における設計の変更などがあっても考案に含まれる。
例えば、上記実施の形態では、平面視が菱形、三角形のピースを示したが、本考案はこれに限定されず、平面視が平行四辺形等であってもよい。
なお、上記パズルはピースを組み合わせた状態でピースどうしと枠体、またはピースどうしを接着固定すれば、置物や鍋敷などとしても用いることができる。
【産業上の利用可能性】
【００２０】
本考案のパズルはパズル製造業において利用可能性を有する。
【符号の説明】
【００２１】
１…パズル      ３、５…ピース      ７…枠体
９…枠体の開口
１１…パズル      ３ａ、３ｂ、５ａ、５ｂ…ピース
２１…パズル      １３、１５…ピース
２３ａ、２５ａ、２７ａ、２９ａ…ピース
【図１】
0003192736.tif 000003
【図２】
0003192736.tif 000004
【図３】
0003192736.tif 000005
【図４】
0003192736.tif 000006
【図５】
0003192736.tif 000007
【図６】
0003192736.tif 000008
【図７】
0003192736.tif 000009
【図８】
0003192736.tif 000010